(57)【要約】【課題】本発明は、耐震性に優れ、省スペース、製作コストの低減等を図ることができる水冷式抵抗器を提供することを目的とする。【解決手段】絶縁材の円筒管からなる溝加工された冷却管２を備え、該冷却管２の一方の端部には固定用フランジ３、排水口冷却管保持器４及び電極板５を取付けて該冷却管２を気密に固定し、該冷却管２の他方の端部には固定用フランジ３及び電極板６を取付けて該冷却管２を気密に固定していることを特徴とする水冷式抵抗器１である。【選択図】　図２
2004127972.tif 000002
【特許請求の範囲】
【請求項１】
絶縁材の円筒管からなる溝加工された冷却管を備え、
該冷却管の一方の端部には固定用フランジ、排水口冷却管保持器及び電極板を取付けて該冷却管を気密に固定し、該冷却管の他方の端部には固定用フランジ及び電極板を取付けて該冷却管を気密に固定していることを特徴とする水冷式抵抗器。
【発明の詳細な説明】
【０００１】
【発明の属する技術分野】
本発明は、電子制御用インバーター（逆変換装置）の保護用抵抗器等における大電力回路に用いられる水冷式抵抗器に関する。
【０００２】
【従来の技術】
従来より、インバーター保護回路等の装置では、容量の増大により大電力化が進んだため、それに組み込まれる抵抗器においても大電力による高負荷を吸収した際の温度上昇を抑制する必要があり、該温度上昇を抑制する方式として水冷方式を採用している。
【０００３】
また、前記インバーター保護回路等の装置のコンパクト化という観点から、抵抗器についても省スペース、軽量化、耐振性、大容量化等が求められている。
【０００４】
一方、本出願人は、先に水冷式抵抗器における水漏れに対する安全性を高めるべく、絶縁性の冷却管の両端部に冷却管保持器と給排水口付き冷却管保持器を取り付け、冷却管を気密に固定した水冷式抵抗器を提案した（特許文献１参照）。
【０００５】
この水冷式抵抗器の一例を外観図として図４ないし５に示した。
【０００６】
この水冷式抵抗器は、図５によると、冷却管１２、排水口付冷却管保持器１３、電極板１４、電極板１５を４本の絶縁材の締付け棒１６で固定する構造である。
【０００７】
ここで、４本の締付け棒１６で固定することになるため、該冷却管保持器１３の外径よりも大きな電極板１４、電極板１５を設置しなければならない。
【０００８】
更に、インバーター保護回路等の装置のコンパクト化を図るため、図４によると電極板１４及び電極板１５では円形ではなく正四角形の形状を採用している。
【０００９】
【特許文献１】
特開２０００−５８３０２号公報
【００１０】
【発明が解決しようとする課題】
図５に示すように、「特許文献１」で提案した水冷式抵抗器の構造は、４本の締付け棒１６により固定する構造を採るため、縦置きをすると耐振動性が悪く、低い掃引周波数域では大きな共振が発生するという問題があった。
【００１１】
更に、耐振動性を向上させるために締付け棒１６の径を大きくすると、電極板の形状は大きくなり、設置スペースが大きくなるという問題が生じ得る。
【００１２】
また、電極板１４及び電極板１５は、切削加工のコストが割高な正四角形にする必要があるため、製作コストが高くなるという問題もあった。
【００１３】
本発明は上記問題点を解決するためになされたものであって、インバーター保護回路等の装置のコンパクト化という観点から、耐震性に優れ、省スペース、製作コストの低減等を図ることができる水冷式抵抗器を提供することを目的とする。
【００１４】
【課題を解決するための手段】
本発明の目的を達成するために、請求項１に係る水冷式抵抗器の発明では、絶縁材の円筒管からなる溝加工された冷却管を備え、該冷却管の一方の端部には固定用フランジ、排水口冷却管保持器及び電極板を取付けて該冷却管を気密に固定し、該冷却管の他方の端部には固定用フランジ及び電極板を取付けて該冷却管を気密に固定していることを特徴とする水冷式抵抗器である。
【００１５】
【発明の実施の形態】
以下、本発明の実施の形態について詳細に説明する。但し、本発明は本実施例に限定されるものではない。
【００１６】
図１は本発明に係る水冷式抵抗器の上面図であり、図２は本発明に係る水冷式抵抗器の側面図であり、図３は本発明に係る水冷式抵抗器の冷却管の側面図である。
【００１７】
図１ないし３によると、本発明に係る水冷式抵抗器１は、絶縁材の円筒管からなる冷却管２に溝加工を施し、該溝加工された冷却管２の一方の端部に固定用フランジ３を取付け、排水口冷却管保持器４及び電極板５とともに冷却管２を４本以上のボルトで気密に固定し、該冷却管２の他方の端部には固定用フランジ３を取付け、電極板６とともに冷却管２を４本以上のボルトで気密に固定することによって構成される。
【００１８】
絶縁材の円筒管からなる冷却管２には、該冷却管２の両端部付近に固定用フランジ取付け溝１０が施工されている。
【００１９】
このように、本発明に係る水冷式抵抗器においては、固定用フランジ３、排水口冷却管保持器４及び電極板５とを冷却管２に対してネジ止めにより気密に固定し、他方の端部も同様に冷却管２の一端部に取付けた固定用フランジ３と電極板６とを冷却管２に対してネジ止めにより気密に固定することを特徴とするものである。
【００２０】
従って、本願発明に係る水冷式抵抗器によれば、「特許文献１」に係る水冷式抵抗器の発明のような締付け棒１６（図５）が不要となる分、耐振動性が向上するとともに、水冷式抵抗器、ひいてはこれを組み込んだインバーター保護回路等の装置のコンパクト化を図ることができる。
【００２１】
また、本願発明に係る水冷式抵抗器によれば、図１に示すように、電極板５と電極板６とは円形形状で構成される。
【００２２】
これは、これを組み込んだインバーター保護回路等の装置のコンパクト化を図るうえで、円形形状が望ましいからである。
【００２３】
このため、「特許文献１」に係る水冷式抵抗器の発明の製造コストと比較すると、電極板を切削加工に要するコストが円形形状よりも高い正四角形にする必要がない分、製造コストの低減が図れる。
【００２４】
なお、正四角形よりも円形形状の方の製造コストが安価なのは、旋盤にて金属加工する場合、一般には角形状よりもセンターが合わせ易い円形状のものの方が加工し易いからである。
【００２５】
冷却管２は絶縁材質のものを使用し、例えば、ガラス、アクリル、アルミナ等が好ましい。
【００２６】
もっとも、固定用フランジ３、排水口冷却管保持器４には、縦置き時の耐振動性を向上させるため、導電性、絶縁性に関係なく軽い材質のもの、例えばアクリルやアルミ等を用いることが望ましい。軽い材質を用いることで耐振動性が向上するためである。
【００２７】
なお、電極板５、電極板６については導電性の金属材質を用いる。
【００２８】
【実施例】
次に、本発明の具体例について説明する。
【００２９】
実施例１
アルミノケイ酸塩、金属酸化物を含有する円筒形状のセラミック抵抗体を図２に示した冷却管２の内部に設置固定し、アルミ製の固定用フランジ３、アクリル製の排水口冷却管保持器４を用いステンレス製の電極板５、電極板６を取付けて水冷式抵抗器１を組立てた。振動試験方法はＪＩＳ−Ｃ−００４０により水冷抵抗器１を縦置きにセットし、Ｘ、Ｙ、Ｚ軸方向において共振周波数１０〜５５Ｈｚ、加速度５Ｇ、１０サイクルの条件にて振動を与え、外観観察、共振周波数の測定を行なった。
【００３０】
得られた結果を表１に示した。
【００３１】
実施例２
アルミノケイ酸塩、金属酸化物を含有する円筒形状のセラミック抵抗体を図２に示した冷却管２の内部に設置固定し、アルミ製の固定用フランジ３、ステンレス製の排水口冷却管保持器４を用いステンレス製の電極板５、電極板６を取付けて水冷式抵抗器１を組立てた。実施例１と同じ方法で振動試験を行なった。
【００３２】
得られた結果を表１に記載した。
【００３３】
比較例１
アルミノケイ酸塩、金属酸化物を含有する円筒形状のセラミック抵抗体を図４及び図５に示した冷却管１２の内部に設置固定し、ステンレス製の排水口冷却管保持器１３を用いステンレス製の電極板１４、電極板１５を取付け、４本のＦＲＰ製締付け棒１６で固定して水冷式抵抗器１１を組立てた。実施例１と同じ方法で振動試験を行なった。
【００３４】
得られた結果を表１に記載した。
【００３５】
【表１】
2004127972.tif 000003
【００３６】
表１の結果から実施例１の本発明は共振点が５５Ｈｚにあるものの微細な共振であり、外観異常は無く問題なかった。
【００３７】
実施例２はステンレス製の排水口冷却管保持器を使用し比較例１と部品材質を揃えたものである。実施例２では４４Ｈｚに大きな共振が見られたが破壊には至らず外観に異常はなく問題ないことが確認されている。
【００３８】
しかし、比較例１では２７Ｈｚと４３Ｈｚに大きな共振が発生し、ＦＲＰ製締付け棒が折れ、試験を中止した。
【００３９】
【発明の効果】
以上のように本発明の水冷式抵抗器によれば、共振点はあるものの微細な共振で、従来品に比べて、使用環境の制約が少ない。
【００４０】
特に、本発明の水冷式抵抗器によれば、「特許文献１」に係る水冷式抵抗器の発明のような締付け棒１６（図５）が不要となる分、耐振動性が向上するという効果を有する。
【００４１】
更に、本発明の水冷式抵抗器によれば、水冷式抵抗器の発明において締付け棒１６（図５）が不要になるため、水冷式抵抗器、ひいてはこれを組み込んだインバーター保護回路等の装置のコンパクト化を可能にするという効果を有する。
【００４２】
このため、該装置に組み込んで使用するうえで抵抗器設置面積が減る等の設備的なメリットもある。
【００４３】
また、本発明の水冷式抵抗器によれば、該水冷式抵抗器が円形形状に基づいて構成されるため、四角形の金属部品に基づいて構成される従来品よりも製造コストを低減化できるという効果を有する。
【図面の簡単な説明】
【図１】本発明に係る水冷式抵抗器の上面図である。
【図２】本発明に係る水冷式抵抗器の側面図である。
【図３】本発明に係る水冷式抵抗器の冷却管の側面図である。
【図４】従来技術に係る水冷式抵抗器（特許文献１）の上面図である。
【図５】従来技術に係る水冷式抵抗器（特許文献１）の側面図である。
【符号の説明】
１　　本発明の水冷式抵抗器
２　　冷却管
３　　固定用フランジ
４　　排水口冷却管保持器
５　　電極板
６　　電極板
７　　給水口
８　　排水口
９　　電極端子取付け部
１０　固定用フランジ取付け溝
１１　従来の水冷式抵抗器
１２　冷却管
１３　排水口冷却管保持器
１４　電極板
１５　電極板
１６　締付け棒
１７　給水口
１８　排水口
１９　締付け棒固定用ナット
２０　電極端子取付け部
【図１】
2004127972.tif 000004
【図２】
2004127972.tif 000005
【図３】
2004127972.tif 000006
【図４】
2004127972.tif 000007
【図５】
2004127972.tif 000008